(57)【特許請求の範囲】
【請求項１】
プロセッサ、及び
命令を記憶するメモリ装置
を備えたシステムであって、前記命令が実行されると前記プロセッサに動作を実行させ、前記動作が、
認証に対するリクエストと関連する無効化人工的生体認証のデジタル画像を受信するステップ、
前記無効化人工的生体認証が、存続期間の満了時間の後に起こる無効化と関連しているということを判定するステップ、
前記存続期間の前記満了時間の後に起こる無効化の前に、前記無効化人工的生体認証の前記デジタル画像に基づく認証を承認するステップ、及び
前記存続期間の前記満了時間の後に起こる前記無効化人工的生体認証の前記無効化後の前記認証を不能とするステップを含む、システム。
【請求項２】
前記動作が前記無効化人工的生体認証の前記デジタル画像を英数字の組合せに電子的にマッピングするステップをさらに含む、請求項１に記載のシステム。
【請求項３】
前記動作が前記英数字の組合せについて電子データベースに問い合わせるステップをさらに含み、前記電子データベースは英数字の組合せと成長速度とを電子的に関連付ける、請求項２に記載のシステム。
【請求項４】
前記動作が前記電子データベースにおける前記成長速度のうちの１つの成長速度を識別するステップをさらに含み、前記成長速度が前記英数字の組合せと前記電子データベースにおいて関連付けられる、請求項３に記載のシステム。
【請求項５】
前記動作が前記成長速度に基づいて前記存続期間の前記満了時間を決定するステップをさらに含む、請求項４に記載のシステム。
【請求項６】
前記動作が前記電子データベースにおいて前記英数字の組み合わせと電子的に関連付けられる前記無効化人工的生体認証と関連付けられる存続期間を識別するステップをさらに含む、請求項３に記載のシステム。
【請求項７】
前記動作が前記英数字の組合せに関連付けられたタイムスタンプを取得するステップをさらに含む、請求項２に記載のシステム。
【請求項８】
方法であって、
サーバによって、認証のために無効化人工的生体認証のデジタル画像を受信するステップ、
前記サーバによって、前記無効化人工的生体認証の前記デジタル画像に基づいて登録プロファイルを判定するステップ、
前記サーバによって、前記登録プロファイルに関連付けられた成長速度を取得するステップ、
前記サーバによって、前記無効化人工的生体認証は、存続期間の満了時間の後に起こる無効化と関連することを前記成長速度に基づいて判定するステップ、
前記サーバによって、前記存続期間の前記満了時間に起こる前記無効化人工的生体認証の前記無効化の前に前記認証を処理するステップ、及び
前記サーバによって、前記存続期間の前記満了時間に起こる前記無効化人工的生体認証の前記無効化後の前記認証を不能とするステップを備える方法。
【請求項９】
前記無効化人工的生体認証の前記デジタル画像を英数字の組合せに電子的にマッピングするステップをさらに備える請求項８に記載の方法。
【請求項１０】
前記英数字の組合せについて電子データベースに問い合わせるステップをさらに備え、前記電子データベースが、英数字の組合せと前記登録プロファイルに関連付けられた前記成長速度を含む成長速度とを電子的に関連付ける、請求項９に記載の方法。
【請求項１１】
前記登録プロファイルに関連付けられたタイムスタンプを取得するステップをさらに備える請求項８に記載の方法。
【請求項１２】
前記タイムスタンプに基づいて前記無効化人工的生体認証と関連付けられた存続期間を決定するステップをさらに備える請求項１１に記載の方法。
【請求項１３】
前記存続期間の前記満了時間に起こる前記無効化人工的生体認証の前記無効化の後に前記登録プロファイルを取り消すステップをさらに備える請求項８に記載の方法。
【請求項１４】
前記存続期間の前記満了時間に起こる前記無効化人工的生体認証の前記無効化の前に電子メッセージを送信ステップであって、前記電子メッセージが前記存続期間の前記満了時間を通知する、ステップをさらに備える請求項８に記載の方法。
【請求項１５】
実行されるとプロセッサに動作を実行させる命令を記憶するメモリ装置であって、前記動作が、
認証のために提出された無効化人工的生体認証のデジタル画像とタイムスタンプとを受信するステップ、
前記無効化人工的生体認証の前記デジタル画像に基づいて登録プロファイルを判定するステップ、
前記登録プロファイルに関連付けられた成長速度を取得するステップ、
前記無効化人工的生体認証と関係づけられる存続期間を算出するステップであって、前記存続期間は前記成長速度に基づき、
前記成長速度に基づいて前記存続期間の満了時間に起こる前記無効化人工的生体認証の無効化を判定するステップ、
前記存続期間の前記満了時間よりも以前のタイムスタンプに応答して、前記認証のために提出された前記無効化人工的生体認証の前記デジタル画像を処理するステップ、及び
前記存続期間の前記満了時間に先立つタイムスタンプに応答して、前記認証を不能とするステップを含む、メモリ装置。
【請求項１６】
前記動作が前記無効化人工的生体認証の前記デジタル画像を英数字の組合せに電子的にマッピングするステップをさらに含む、請求項１５に記載のメモリ装置。
【請求項１７】
前記英数字の組合せについて電子データベースに問い合わせるステップをさらに備え、前記電子データベースが、英数字の組合せと前記登録プロファイルに関連付けられた前記成長速度を含む成長速度とを電子的に関連付ける、請求項１６に記載のメモリ装置。
【請求項１８】
前記動作が前記登録プロファイルに関連付けられた存続期間を取得するステップをさらに備える、請求項１５に記載のメモリ装置。
【請求項１９】
前記動作が前記無効化人工的生体認証に関連付けられた存続期間を判定するステップをさらに備える、請求項１５に記載のメモリ装置。
【請求項２０】
前記動作が、
前記存続期間の前記満了時間に起こる前記無効化人工的生体認証の前記無効化の後に前記登録プロファイルを取り消すステップをさらに備える、請求項１５に記載のメモリ装置。
【発明の詳細な説明】
【技術分野】
【０００１】
著作権の告知
本特許文献の開示の一部及びその添付物は、著作権保護の対象となる資料を含む。著作権保有者は、特許商標庁の特許ファイル又は記録に明らかなように特許文献又は特許開示の何人による複製にも異議はないが、その他はいかなるすべての著作権も保有する。
【背景技術】
【０００２】
安全な認証は困難である。従来のパスワードは、容易に忘れられ、容易に破られてしまう。生体認証識別子は記憶する必要はないが、変更不可能であり永久的なものである。さらに、従来の生体認証識別子は認識不能となりやすい。
【０００３】
例示の実施形態の構成、態様及び効果は、添付図面を参照して以下の詳細な説明を読めば理解される。
【図面の簡単な説明】
【０００４】
【図１】図１は、例示の実施形態による無効化生体認証の説明図である。
【図２】図２は、例示の実施形態による無効化生体認証の説明図である。
【図３】図３は、例示の実施形態による無効化生体認証の説明図である。
【図４】図４は、例示の実施形態による無効化生体認証の説明図である。
【図５】図５は、例示の実施形態による無効化生体認証の説明図である。
【図６】図６は、例示の実施形態による無効化生体認証の説明図である。
【図７】図７は、例示の実施形態による動作環境の詳細な説明図である。
【図８】図８は、例示の実施形態による動作環境の詳細な説明図である。
【図９】図９は、例示の実施形態による登録の自動的満了を示す。
【図１０】図１０は、例示の実施形態による登録の自動的満了を示す。
【図１１】図１１は、例示の実施形態による登録データベースをさらに示す。
【図１２】図１２は、例示の実施形態による成長速度の電子データベースを示す。
【図１３】図１３は、例示の実施形態によるクライアントサーバ環境を示す。
【図１４】図１４は、例示の実施形態によるクライアントサーバ環境を示す。
【図１５】図１５は、例示の実施形態による個人用設定を示す。
【図１６】図１６は、例示の実施形態による個人用設定を示す。
【図１７】図１７は、例示の実施形態によるトランザクションによる取消しを示す。
【図１８】図１８は、例示の実施形態による満了の通知を示す。
【図１９】図１９は、例示の実施形態による無効化生体認証を登録及び認証するための方法を示すフローチャートである。
【図２０】図２０は、例示の実施形態による無効化生体認証を登録及び認証するための方法を示すフローチャートである。
【図２１】図２１は、例示の実施形態の追加的態様のための更なる動作環境を図示する。
【図２２】図２２は、例示の実施形態の追加的態様のための更なる動作環境を図示する。
【図２３】図２３は、例示の実施形態の追加的態様のための更なる動作環境を図示する。
【図２４】図２４は、例示の実施形態の追加的態様のための更なる動作環境を図示する。
【図２５】図２５は、例示の実施形態の追加的態様のための更なる動作環境を図示する。
【図２６】図２６は、例示の実施形態の追加的態様のための更なる動作環境を図示する。
【発明を実施するための形態】
【０００５】
ここで例示の実施形態を、添付図面を参照して以下により完全に説明する。ただし、例示の実施形態は、多数の異なる形態で具現化されてもよく、ここに記載する実施形態に限定するように解釈されるべきでない。これらの実施形態は、この開示が的確及び完全であり、当業者に対して例示の実施形態を完全に伝えるように提供される。さらに、ここに実施形態及びその特定の例を列挙するすべての記述は、その構造的及び機能的の双方の均等物を含むことを意図している。また、そのような均等物は、現在公知の均等物及び将来開発される均等物の双方を含む（すなわち、構造に関わらず、同じ機能を実行する任意の開発された要素）ことを目的とする。
【０００６】
したがって、例えば、図面、概略図、表示などは例示の実施形態を示す概念図又はプロセスを表していることが、当業者には分かるはずである。図面に示す種々の要素の機能は、専用のハードウェア及び関連するソフトウェアを実行可能なハードウェアの使用を通じて提供され得る。当業者はさらに、ここに説明される例示のハードウェア、ソフトウェア、プロセス、方法及び／又はオペレーティングシステムは、説明を目的としているので、任意の特定名の製造業者に限定されることを意図していないことが分かる。
【０００７】
ここで用いられるように、単数形の「ａ」、「ａｎ」及び「ｔｈｅ」は、明示的な断りがない限り、複数形も同様に含むことを意図している。用語の「ｉｎｃｌｕｄｅｓ」、「ｃｏｍｐｒｉｓｅｓ」、「ｉｎｃｌｕｄｉｎｇ」及び／又は「ｃｏｍｐｒｉｓｉｎｇ」は、本出願で使用される場合には、記述した構成、整数、工程、動作、要素及び／又は構成部品の存在を特定するが、他の１以上の構成、整数、工程、動作、要素、構成部品及び／若しくはそれらのグループの存在又は追加を除外しないこともさらに分かる。要素が他の要素に「ｃｏｎｎｅｃｔｅｄ」又は「ｃｏｕｐｌｅｄ」という場合には、それは他の要素に直接接続又は連結されてもよいし、介在要素が存在する場合もあると分かる。さらに、ここで用いられる「ｃｏｎｎｅｃｔｅｄ」又は「ｃｏｕｐｌｅｄ」は、無線で接続又は連結されることも含み得る。ここで用いられるように、用語の「及び／又は」は、関連して列挙された１以上の項目の一部及びすべての組合せを含む。
【０００８】
種々の要素を説明するのに用語の第１、第２などがここで用いられることがあるが、これらの要素はこれらの用語によって限定されるべきでないことも分かるはずである。これらの用語は、ある要素を他のものと区別することにのみ用いられる。例えば、開示の教示を逸脱することなく、第１の装置を第２の装置ということもあり、同様にして、第２の装置を第１の装置ということもある。
【０００９】
図１〜２は、例示の実施形態による無効化生体認証２０の説明図である。無効化生体認証２０は、人体の自然生理的プロセスの結果として、経時的に無効化する人工的生体認証特性である。図１は、例えば、人間の手２８の指２６の先端２４を覆う爪甲２２を示す。爪甲２２は、指の爪３０として一般的に知られている。図２により分かりやすく示すように、マーキング３２は、爪甲２２の上部又は外部表面３４に、彫刻され又は付加される。マーキング３２は、（後の段落で説明するように）スキャン及び／又は機械読取りされてユーザの身元を一意的に確認し得るバーコード３６として示される。
【００１０】
無効化生体認証２０は、一時的なものである。爪甲２２が生理的に成長するにつれて、マーキング３２は指２６の先端２４に向けて自然に移動する。最終的に、マーキング３２は、遠位端に移動し、切断又はトリミングされる。調査では、爪甲２２の表皮は多数の要因（例えば、年齢、性別、季節、運動レベル及び食事）に応じて、１か月当たり長さ約３ミリメートル（３ｍｍ）の平均成長速度４０を有することを示している。そして、数週間又は数か月以内に、爪甲２２は長さをトリミングされる。したがって、マーキング３２は最終的に、時間経過により切除、破壊又は破棄される。
【００１１】
したがって、無効化生体認証２０は、一時的な身体改造であればよい。マーキング３２は、パスワードと生体認証の双方の最適な特徴を組み合わせる。パスワードは、生成が容易であり、登録が容易であり、検証が容易であり、取消しが容易である。生体認証は、使用が非常に容易であり、記憶を必要としない。したがって、無効化生体認証２０は、これらの特徴を組み合わせて、記号として容易に解釈され（したがって、認識不能を回避する）、記憶を必要としない身体改造を作成する。さらに、無効化生体認証２０は、自然生理的プロセスの結果としてそれ自体消滅する。言い換えると、無効化生体認証２０は、人間の生理的成長でそれ自体を取り消す。したがって、例示の実施形態は、従来の生体認証による永久性の問題に対処し、さらにパスワードに取って代わるだけの十分な安全性を証明する。
【００１２】
無効化生体認証２０は巧妙である。マーキング３２が爪甲２２に彫刻又は付着された場合に、無効化生体認証２０はほとんど目立たない。無効化生体認証２０は、衣類、化粧及び運動にほとんど又は全く影響がない。実際に、マーキング３２が機械認識可能でさえあれば、マーキング３２は（マニキュアのコーティングと同様に）ペイントされてもよい。無効化生体認証２０は、ファッション及び運動競技で目立つことがない。
【００１３】
無効化生体認証２０は、好ましくは記号である。図２は、認証ユーザに一意的に関連付けられ得る記号式バーコード３６としてマーキング３２を示す。すなわち、マーキング３２は、登録ユーザ（例えば、「登録者」）と光学的に関連付けられた、クイックレスポンス（「ＱＲ」）コード又は他の任意の機械読取り可能な記号若しくはパターンであればよい。登録者が自分の指２６を撮像装置内に又はその上に置くと、マーキング３２の画像又はスキャンは、撮影、解釈、及び登録者に関連付けられ得る。したがって、無効化生体認証２０は、ほとんどノイズ及び歪みなく認証される記号式パターンであればよい。リーダが理解できるように、従来の生体認証の認証手法は、基本的にアナログ式であり、任意の暗号関数によって処理される前に、測定され、離散値に定量化されなくてはならない。測定誤差は常態化し、暗号関数の入力におけるわずかな変化でさえも増幅される。したがって、測定データと基準データの比較は、事前の予防策なしでは暗号化ドメインにおいて実行不可能でありノイズの影響を含んでしまう。そのため、従来の生体認証の認証手法は、誤った許容及び誤った拒絶に起因する誤差比率を常時平衡化しなくてはならない。それに引き換え、例示の実施形態は、誤差比率を低減する機械読取り可能なマーキング３２を使用する。
【００１４】
図３は、例示の実施形態による無効化生体認証２０をさらに示す。ここでは、無効化生体認証２０を指紋５０に彫刻されたマーキング３２として示す。図３は、特徴の明確化のための拡大表示である。リーダが理解するように、人間の指（図１〜２では符号２６で示す）は、一般的に指紋５０と呼ばれる皮膚の隆起領域を有する。指紋５０は個人の登録／認証に対して一意的であっても、指紋の認識は困難であり不能となりがちである。しかし、ここでは指紋５０がマーキング３２で増補され得る。マーキング３２を、指紋５０に付加又は上塗りされたクイックレスポンス（「ＱＲ」）コード５２として示す。例えば、ＱＲコード５２は、レーザ発光を使用して付加され得る。ただし、ＱＲコード５２はまた、指紋５０に塗布され、又は付着的に付加されてもよい。いずれにせよ、マーキング３２は、指紋５０と組み合わされた任意の機械読取り可能なパターンであればよい。
【００１５】
ここでも、無効化生体認証２０は一時的なものである。レーザ発光は、皮膚表皮の細胞層を加熱及び破壊する。皮膚は生理的に修復及び治癒するので、新たな皮膚細胞が破壊された皮膚細胞と交換されるにつれて、マーキング３２は徐々に消滅する。言い換えると、無効化生体認証２０は、新たな皮膚細胞が生成されるにつれて自然に取り消される。そして、マーキング３２は、やがて細胞成長速度４０に従って自己消去又は色あせする。無効化生体認証２０は一過的なものなので、無効化生体認証２０はここでも一時的な身体改造である。無効化生体認証２０は、使用が容易であり、記憶を必要とせず、機械読取り可能である。しかしながら、無効化生体認証２０は、単に一時的なものであり、やがて自然にそれ自体取り消される。そしてここでも、無効化生体認証２０は、パスワードと生体認証の双方の最適な特徴を組み合わせる。
【００１６】
したがって、例示の実施形態は多モード的である。単モード的な生体認証は、単一の（指紋５０などの）生体認証識別子を使用してユーザを認証する。しかしながら、単モード的生体認証の認証は、なりすましが容易である。しかし、ここでの例示の実施形態は、単一の生体認証入力ソースのみ用いる多モード的手法を作成する。指紋５０に彫刻されたＱＲコード５２のレーザは、複合生体認証識別子５４を形成する。複合生体認証識別子５４の単一の光学スキャン又は画像は、２つの異なる生体認証特性を提供し得る。つまり、登録及び認証は、可視的な指紋５０及びＱＲコード５２を独立的かつ個別に解析し得る。すなわち、例示の実施形態は、複合生体認証識別子５４を代わりに解析し得る。いずれにせよ、例示の実施形態は、２つの異なる生体認証特性を融合して、ユーザの身元を検証し得る。
【００１７】
図４は、例示の実施形態による無効化生体認証２０のさらに他の説明図である。ここでは無効化生体認証２０を、人間の手２８に付加した表面的タトゥー６０として示す。無効化生体認証２０は、ここでもレーザ発光を使用して手２８に加熱彫刻され得る。図４は、機械読取り可能パターン６２として無効化生体認証２０を示す。手２８の皮膚は生理的に修復及び治癒するので、パターン６２は、新たな皮膚細胞が破壊された皮膚細胞と交換されるにつれて、徐々に消滅する。そしてここでも、無効化生体認証２０は、新たな皮膚細胞が細胞成長速度４０に従って生成されるので自然に取り消される。無効化生体認証２０は、ここでも自己消去し又は色あせて最終的には読取り不能となる一時的な身体改造である。無効化生体認証２０は、使用が容易であり記憶を必要としないが、一時的なものであり、やがて自然にそれ自体取り消される。そしてここでも、無効化生体認証２０は、パスワードと生体認証の双方の最適な特徴を組み合わせる。
【００１８】
無効化生体認証２０は、色素を有していてもよい。レーザ発光の異なる波長によって、細胞のメラニンは異なる細胞色素を生成し得る。つまり、レーザ発光によって、損傷した細胞はそれらの色素を変化させ得る。したがって、無効化生体認証２０は、特定の色彩／波長の光のみ反射する初期細胞色素沈着を有し得る。したがって、例えば、励起レーザ発光の波長は、細胞のメラニンが紫外光のみ反射するように選択され得る。すなわち、レーザ発光は、入射光の選択波長で確実に、無効化生体認証２０のみ機械読取り可能であり及び／又は人間に可視的であるように選択され得る。皮膚は生理的に再び新しくなるので、無効化生体認証２０は、治癒プロセスに起因して徐々に消滅する。
【００１９】
図５〜６は、例示の実施形態による無効化生体認証２０をさらに示す。ここで無効化生体認証２０は、登録者の毛髪７２に化学染色した記号７０として示す。ここでも無効化生体認証２０は、生体認証登録及び検証／許可のために機械読取り可能であればよい。ただし、毛髪繊維は生理的に成長するので、記号７０は徐々に移動及び変形する。実際に、やがて大多数の登録者は彼らの毛髪７２を調髪又はカットし、したがって最終的には記号７０を破棄又は破壊する。調査では、毛髪７２は１か月当たり長さ約１．２５センチメートルの平均成長速度４０であることを示している。およそ数か月以内に、大多数の人々は彼らの毛髪７２の長さを調髪する。したがって、無効化生体認証２０は、やがて最終的に切除、破壊又は破棄される。
【００２０】
図６が示すように、無効化生体認証２０はまた、時間とともに劣化し得る。リーダが理解し得るように、すべての毛髪繊維が同じ速度で成長するわけではない。高速に成長する毛髪繊維もあれば、休止状態の毛髪繊維もある。調査では、毛髪７２は異なる成長段階を有し、各人の毛髪繊維は異なる段階を有し得ることを示した。したがって、毛髪７２が長さを調髪せずに成長した場合であっても、記号７０はやはり読取り不能となることもある。つまり、毛髪繊維は異なる段階で成長するので、記号７０は時間で自然に変形する。ある繊維の長さは成長するが、他の繊維は発達せず成長しない。そして経時的に、記号７０の様々な部分は、移動及びさらには拡張するので、記号７０を変化させる。したがって、無効化生体認証２０は、毛髪成長速度４０で自然に移動及び変化し、最終的にはそのユーザでは識別不能となり得る。
【００２１】
したがって、無効化生体認証２０は一時的な身体改造である。毛髪７２は成長するので、大多数の人々は化学染色された無効化生体認証２０を切断する。毛髪７２は成長できても、無効化生体認証２０は、検証不能ポイントまで自然に移動、変形及び変化する。つまり、記号７０は時間とともに変化し、最終的には読取り不能となり、又は登録されたユーザと関連付けられなくなる。したがって、無効化生体認証２０は、人間の生理的プロセスに起因してここでも自己無効化する。無効化生体認証２０は、使用が容易であり、記憶を必要としないが、単に一時的なものであり、やがてそれ自体自然に取り消される。したがって、ここでも無効化生体認証２０は、パスワードと生体認証の双方の最適な特徴を組み合わせている。
【００２２】
したがって、例示の実施形態は、安全な認証の代替例を示す。無効化生体認証２０は、やはり使用が容易であり、従来の生体認証特性である永久性に対処する合成又は人工的生体認証特性である。身体マーキング３２は、通常の人間の生理的プロセスに起因して一時的なものであり、薄れ、及び自然に色あせ又は消滅する。無効化生体認証２０は、微細で目立たず、機密性を有するので、不正な撮影及び脅威又は圧力による使用を低下させ得る。その生理的持続時間は、特にこれまでの生体認証特性にある永久性と比べて、比較的非常に短い。したがって、ユーザは、無効化生体認証２０の活用を恐れず、「烙印化」を躊躇しない。
【００２３】
したがって、無効化生体認証２０は時間とともに無効となる。従来の（指紋５０及び虹彩パターンなどの）生体認証特性は、永久的である。しかし、ここでは無効化生体認証２０は、比較的短時間であり、それ自体を取り消し自己無効化する。自然生理的プロセス（治癒であろうと成長であろうと）によって、無効化生体認証２０は、変形し、色あせし、人体のその位置を変化させ、及び／又は破棄されればよい。
【００２４】
図７〜８は、例示の実施形態による動作環境の詳細な説明図である。図７は、無効化生体認証２０に関連付けられた登録を管理するコンピュータサーバ８０を示す。生体認証登録は一般的に周知されているので、この開示では周知の態様について詳しく説明する必要はない。とはいえ一般的に、無効化生体認証２０は、ある検知装置８２によって検知される。簡略化のために、この開示では、デジタルカメラ８４が無効化生体認証２０のデジタル登録画像８６を撮影するものとする。デジタルカメラ８４は遠隔配置されたように示すので、デジタル画像８６は、通信ネットワーク８８を介して、サーバ８０に関連付けられたネットワークアドレスに送信される。ただし、デジタルカメラ８４は、サーバ８０に直接接続されてもよいし、さらにはその構成要素であってもよい。いずれにせよ、サーバ８０は、ローカルメモリ９４に記憶されたアルゴリズム９２を実行するプロセッサ９０（例えば、「μＰ」）、特定用途向け集積回路（ＡＳＩＣ）又は他の構成要素を有し得る。アルゴリズム９２は、登録画像８６を解析して無効化生体認証２０を認識する命令、コード及び／又はプログラムを含む。無効化生体認証２０が機械読取り可能であることを考えると、アルゴリズム９２は、デジタル登録画像８６内に記載又は含まれた無効化生体認証２０を認識する画像解析を実行するようにプロセッサ９０に命令し得る。例えば、プロセッサ９０は、無効化生体認証２０の登録画像８６を、（広く知られており、記述を要しない電子テキスト文字列又はメッセージなどの）固有の英数字の組合せ９６にマッピング又は変換し得る。
【００２５】
そして、登録データベース１００が参照される。無効化生体認証２０が認識されると、アルゴリズム９２は１以上のデータベースエントリを登録データベース１００に加えるようにプロセッサ９０に命令する。登録データベース１００は、異なる登録プロファイル１０２とそれらの対応する生体認証特性１０４との間の電子データベース関連付けを記憶し、又は含む。各登録プロファイル１０２は、登録者の無効化生体認証２０の登録画像８６にマッピングする対応英数字の組合せ９６によって一意的に識別される。そして、例示の実施形態は、ここではデジタル登録画像８６において認識される英数字の組合せ９６と無効化生体認証２０との間の１以上の電子データベース関連付けを記憶し得る。したがって、登録プロファイル１０２は、認証及び検証プロセスのためのテンプレート１０４として用いられ得る。
【００２６】
図８は認証を示す。身元の検証が必要な場合には、デジタルカメラ８４は、認証ユーザによって提出された資格証明書の認証画像１１０を撮影する。認証については、周知であり詳述する必要はない。認証画像１１０は、通信ネットワーク８８を介して、サーバ８０に関連付けられたネットワークアドレスに送信される。サーバ８０は、アルゴリズム９２を実行し、認証画像１１０の画像解析を実行する。認証画像１１０は、文字列１１２に変換又はマッピングされ、登録データベース１００のエントリと比較される。認証ユーザによって提出された資格証明書が生体認証テンプレート１０４と一致する場合にはその後、認証ユーザの請求された身元が確認又は認証される。言い換えると、認証画像８６に記された無効化生体認証２０は、英数字の組合せ９６に十分又は正確に変換される。
【００２７】
例示の実施形態は、ネットワーク形成環境に関わらず適用され得る。例示の実施形態は、セルラ方式、ワイヤレスフィディリティー（ＷＩ−ＦＩ（登録商標））、ニアフィールド及び／又はＢＬＵＥＴＯＯＴＨ（登録商標）の性能を有する、固定又は携帯デバイスに容易に適合され得る。例示の実施形態は、電磁スペクトルの任意の部分及び（ＩＥＥＥ８０２ファミリーの規格、ＧＳＭ／ＣＤＭＡ／ＴＤＭＡ若しくは任意のセルラ規格、及び／又はＩＳＭ帯などの）任意のシグナリング規格を利用する携帯デバイスに適用され得る。ただし、例示の実施形態は、無線周波数ドメイン及び／又はインターネットプロトコル（ＩＰ）ドメインにおいて動作する任意のプロセッサ制御装置に適用され得る。例示の実施形態は、インターネット（代替的に「ワールドワイドウェブ」として知られることがある）、イントラネット、ローカルエリアネットワーク（ＬＡＮ）及び／又はワイドエリアネットワーク（ＷＡＮ）などの分散コンピューティングネットワークを利用する任意のプロセッサ制御装置に適用され得る。例示の実施形態は、信号が電気配線を介して通信される電力線技術を利用する任意のプロセッサ制御装置に適用され得る。実際に、例示の実施形態は、物理的構成部分、物理的構成又は通信規格に関わらず適用され得る。
【００２８】
例示の実施形態は、任意の処理構成部品、構成又はシステムを利用し得る。任意のプロセッサは、複数のプロセッサであればよく、単一の機械又は複数の機械における分散プロセッサ又は並列プロセッサを含み得る。プロセッサは、仮想処理環境をサポートする際に用いられ得る。プロセッサは、状態機械、特定用途向け集積回路（ＡＳＩＣ）、フィールドプログラマブルゲートアレイ（ＰＧＡ）を含むＰＧＡ又は状態機械を含み得る。任意のプロセッサが「動作」を実行する命令を実行する場合、これは動作を直接実行し、及び／又は動作を実行する他の装置又は構成部品により促進、指示若しくは連携するプロセッサを含み得る。
【００２９】
図９〜１０は、例示の実施形態による登録の自動的満了を示す。ここで例示の実施形態は、古くなった無効化生体認証２０に基づいて、任意の認証を自動的に却下し得る。図９は、例えば、無効化生体認証２０の登録画像８６に関連付けられたタイムスタンプ１２０に基づく規則による満了を示す。タイムスタンプ１２０は、登録画像８６を生成するカメラ８４によって付加又は判定され得る。ただし、（受領の日付及び時間などの）タイムスタンプ１２０は、サーバ８０によって追加的又は代替的に付加又は判定され得る。いずれにせよ、タイムスタンプ１２０は、無効化生体認証２０に関連付けられた存続期間１２２の開始をマーク又は規定する。つまり、無効化生体認証２０の登録画像８６は、無効化生体認証２０に関連付けられた自然生理的プロセスと一致する存続期間１２２中にのみ、検証可能又は認証可能となる。言い換えると、存続期間１２２は、無効化生体認証２０の無効化１２６と一致する満了時間１２４を有する。図９は電子登録データベース１００がサーバ８０に局所的に記憶されているように示すが、データベースエントリの一部又はすべては通信ネットワーク８８における他のいくつかのサーバ、装置又は位置に遠隔的に保持され得る。
【００３０】
図１０は、電子データベースの動作を示す。電子登録データベース１００は、異なる英数字の組合せ９６を異なる生体認証テンプレート１０４に電子的にマッピング、相関付け又は関連付ける表１３０として示される。例えば、エントリは、英数字の組合せ９６を登録者の名前１３２及びアドレス１３４に関連付け得る。さらに、登録者のテンプレート１０４は、登録画像８６に関連付けられたポインタ又はファイル名をさらに含み得る。簡単に言うと、例示の実施形態は、異なるユーザと、彼らの個々の無効化生体認証２０を示す彼らの生体認証テンプレート１０４との間の電子データベース関連付けを規定する。図１０はわずかなエントリのみ示すが、実際には、登録データベース１００は、大多数の登録ユーザに対して数百、数千又は数百万ものエントリを含み得る。したがって、サーバ８０は、（英数字の組合せ９６などの）任意の問い合わせ語及び１以上の対応するエントリについて登録データベース１００に問い合わせ得る。
【００３１】
しかし、生体認証登録は、自動的に有効期限切れすることもある。例示の実施形態は、登録データベース１００における任意のエントリを自動的に取り消し又は有効期限切れすることもある。無効化生体認証２０は、経時的に消滅又は劣化し得る一時的な身体改造に過ぎないことを考えてみる。言い換えると、無効化生体認証２０は、人間の生理的成長により自然に取り消される。そしてある時点で、登録データベース１００の対応するエントリは有効期限切れとなるはずである。最終的に、無効化生体認証２０が自己無効化する場合に、登録データベース１００の対応するエントリはもはや認証に使用されなくなる。無効化生体認証２０がそれ自体を無効にすると、同一の無効化生体認証２０について将来のいずれの使用も拒絶されることになる。
【００３２】
したがって、例示の実施形態は満了時間１２４を含み得る。無効化生体認証２０が登録データベース１００に初めに登録されると、アルゴリズム９２は対応するタイムスタンプ１２０を付加又は記憶し得る。アルゴリズム９２はまた、無効化生体認証２０に関連付けられた対応する成長速度４０を示すエントリを加え得る。時間が経過するにつれて、無効化生体認証２０は、対応する成長速度４０に従って自然に自己取消しとなる。したがって、アルゴリズム９２は、生理的無効化生体認証２０の存続期間１２２を決定又は計算する規則又はロジックを実行し得る。したがって、存続期間１２２は、テンプレート１０４が認証又は検証の目的で用いられ得る間の時間である。満了時間１２４において又はその後に、アルゴリズム９２は、無効化生体認証２０の認証が用いられることを防ぐことができる。
【００３３】
一例は、満了時間１２４の説明に役立つ。爪甲（図１〜２の符号２２で示す）は、１か月当たり約３ミリメートル（３ｍｍ）の平均成長速度４０を有することを考えてみる。アルゴリズム９２は、大多数の人々が５ミリメートル（５ｍｍ）の自然成長後に自分たちの爪をトリミングするものとする。したがって、存続期間１２２は、
５ｍｍ／（３ｍｍ／月）＝１．６７か月
から決定され得る。したがって、満了時間１２４は２か月未満であり、無効化生体認証２０が初期登録時のタイムスタンプ１２０から２か月で確実に自己取り消しすることを意味する。したがって、アルゴリズム９２は、存続期間１２２を初期のタイムスタンプ１２０に加えて満了時間１２４を決定することができる。アルゴリズム９２が無効化生体認証２０を用いて認証又は検証を実行する場合はいつでも、アルゴリズム９２は、現在の日時を取得し満了時間１２４と比較し得る。現在の日時が満了時間１２４の前である場合には、その後アルゴリズム９２は、対応する無効化生体認証２０（例えば、対応する英数字の組合せ９６）を認証するようになる。しかしながら、現在の日時が満了時間１２４以降である場合には、その後アルゴリズム９２は無効化生体認証２０を認証しなくなることがある。言い換えると、認証は、初期登録のタイムスタンプ１２０からの時間経過に基づいているに過ぎず、不能となることがある。したがって、例示の実施形態は、満了期限１２４の後に無効化生体認証２０のさらなる使用を拒絶し得る。
【００３４】
他の例は、満了時間１２４の説明に役立つ。指紋５０に彫刻されたＱＲコード５２のレーザが、（図３に示すように）細胞成長速度４０で治癒し得ることを考えてみる。ＱＲコード５２が、３ｍｍ×３ｍｍ（すなわち９ｍｍ２）の寸法を有する二次元の微小正方形であるとする。さらに、細胞成長速度４０は１日当たり０．１４ｍｍであるとする。したがって、存続期間１２２は、
９ｍｍ２／（０．１４ｍｍ２／日）＝６４．２９日
から決定され得る。したがって、満了時間１２４は６５日未満であり、無効化生体認証２０が初期登録時のタイムスタンプ１２０から２か月をわずかに越えて確実に自己取り消しすることを意味する。現在時刻が満了時間１２４より前である場合には、アルゴリズム９２は、対応する無効化生体認証２０（例えば、対応する英数字の組合せ９６）を認証するようになる。しかしながら、現在時刻が満了時間１２４以降である場合には、その後アルゴリズム９２は、初期登録のタイムスタンプ１２０からの時間経過に基づいているに過ぎず、無効化生体認証２０を認証しなくなることがある。
【００３５】
人間の毛髪７２は、他の例を与える。この開示は、（図５〜６に示すように）人間の頭部ｘｘの毛髪７２に無効化生体認証２０がどのように化学染色され得るかについてこれまでに説明した。毛髪７２の繊維は生理的に成長するので、無効化生体認証２０は徐々に移動し切断又は調髪されてなくなる。調査では、毛髪７２は１か月当たり長さ約１．２５センチメートルの平均成長速度４０を有すると示している。例示の実施形態は、大多数の人々が彼らの毛髪を３センチメートル（３ｃｍ）の自然成長後に調髪するものとすればよい。したがって、存続期間１２２は、
３ｃｍ／（１．２５ｃｍ／月）＝２．４か月
から決定され得る。したがって、満了時間１２４は３か月未満であり、無効化生体認証２０が初期登録時のタイムスタンプ１２０から２か月をわずかに超えて自然に自己取り消しするはずであることを示す。現在の日時が満了時間１２４より前である場合には、アルゴリズム９２は、対応する無効化生体認証２０（例えば、対応する英数字の組合せ９６）を認証するようになる。しかしながら、現在の日時が満了期限１２４より先行している場合には、その後アルゴリズム９２は、初期登録のタイムスタンプ１２０からの時間経過に基づいているに過ぎず、無効化生体認証２０を認証しなくなることがある。
【００３６】
したがって、生体認証の認証は、時間に基づいて却下され得る。従来の生体認証特性は、永久的であり取り消されない。しかしここでは、無効化生体認証２０は、比較的短時間で自己無効化する。自然生理的プロセス（治癒でも成長でも）が生じるので、無効化生体認証２０は、変形、色あせ及び／又は破棄される。そして、登録ユーザは、他の短期間の使用に対して適用される新たな無効化生体認証２０を有し得る。しかし、更なる予防措置として、例示の実施形態は、登録データベース１００の任意のエントリを自動的に取消し又は有効期限切れにすることができる。認証が（初期のタイムスタンプ１２０から決定又は測定されるように）古くなった無効化生体認証２０で試行された場合には、例示の実施形態は試行認証を自動的に不能にすることができる。したがって、満了時間１２４が経過すると、例示の実施形態は任意の不正行為を阻止する。
【００３７】
例示の実施形態はまた、タイマ１３６を構成し得る。存続期間１２２が決定されると、アルゴリズム９２はタイマ１３６を初期化又は開始し得る。タイマ１３６は、初期のタイムスタンプ１２０から、存続期間１２２に関連付けられた値まで増分又は計数すればよい。言い換えると、タイマ１３６は、初期のタイムスタンプ１２０の値からカウントアップを開始し得る。タイマ１３６は、タイムスタンプ１２０と存続期間１２２とを加算した最終値までカウントする。存続期間１２２が切れると、同じ無効化生体認証２０を使用してさらなる認証は試行されなくなる。
【００３８】
図１１は、例示の実施形態による登録データベース１００をさらに示す。ここでは登録データベース１００は、対応する無効化生体認証２０の身体位置１４０に対するエントリをさらに含み得る。無効化生体認証２０がユーザの身体に付加された場合に、電子データベースエントリは（図１〜２を参照して示すように、爪甲２２又は指の爪３０などの）身体位置１４０を示すように加えられ得る。エントリは、身体位置１４０を示すテキスト記述１４２を含み得る。したがって、登録データベース１００は、無効化生体認証２０を識別する英数字の組合せ９６、タイムスタンプ１２０、成長速度４０及び満了時間１２４の間の電子データベース関連付けを含み又は規定し得る。
【００３９】
図１２は、例示の実施形態による成長速度についての電子データベース１５０を示す。上記段落で説明したように、無効化生体認証２０は、人間又は動物の身体の任意の部分に付加又は適用され得る。しかし、各異なる身体部又は領域は、異なる成長速度４０を有し得る。したがって、無効化生体認証２０が任意の登録ユーザの身体に適用されるといつでも、例示の実施形態は、対応する成長速度４０に対する成長速度の電子データベース１５０を参照し得る。したがって、図１２は、異なる身体位置１４０を異なる成長速度４０に電子的にマッピングし、相関付け、又は関連付ける表１５２として成長速度の電子データベース１５０を示す。身体位置１４０が、（図１１を参照して説明するように）登録データベース１００に加えられると、例示の実施形態は、（テキスト記述１４２などの）身体位置１４０について成長速度の電子データベース１５０に問い合わせ、対応する成長速度４０を取得し得る。そして、例示の実施形態は、対応する成長速度４０を示すエントリを、登録データベース１００の対応するエントリに複製することができる。言い換えると、例示の実施形態は、成長速度の電子データベース１５０から取得された成長速度４０で登録データベース１００を追加し得る。図１２は、サーバにおいて局所的に記憶されているように電子登録データベース１００を示すが、データベースエントリの一部又はすべては（図７〜９で符号８８として示す）通信ネットワークの他のいくつかのサーバ、装置又は位置で遠隔に保持され得る。図１２はわずかなエントリのみ示すが、実際には、登録データベース１００は、多数の異なる身体位置に対して成長速度４０を詳細に示す多数のエントリを含み得る。
【００４０】
図１３〜１４は、例示の実施形態によるクライアントサーバ環境を示す。ここでは、登録データベース１００は、通信ネットワーク８８を介してクライアント装置１６０によってアクセスされ得る。例えば、無効化生体認証２０は、認可／登録された提供者（「登録者」）によって適用されるものとする。提供者は、クライアント装置１６０を使用して、無効化生体認証２０を登録データベース１００に登録する。クライアント装置１６０は、サーバ８０によって実行されるアルゴリズム９２と連携するクライアント側アルゴリズム１６２を記憶及び実行することができる。したがって、クライアント装置１６０は、登録画像８６を撮影し、サーバ８０に関連付けられたネットワークアドレスに送信し得る。ただし、クライアント装置１６０は、登録無効化生体認証２０を表す英数字の組合せ９６を追加的又は代替的に送信し得る。いずれにせよ、クライアント装置１６０はまた、登録者の名前１３２、アドレス１３４、及び無効化生体認証２０の身体位置１４０などの登録情報１６４も送信し得る。サーバ８０が、登録画像８６、英数字の組合せ９６及び／又は登録情報１６４を受信する場合には、アルゴリズム９２は、サーバ８０に、登録データベース１００を追加するように命令する。簡単に言うと、例示の実施形態によって、認可／登録された提供者は、登録ユーザの代わりに無効化生体認証２０を登録する。登録画像８６、英数字の組合せ９６及び／又は登録情報１６４は、（インターネットプロトコルのいずれかなどの）パケットプロトコルに従ってデータパケットとして送信及び受信され得る。データパケットは、メッセージのコンテンツ又はペイロードを示すデータのビット又はバイトを含む。各データパケットのヘッダは、送信元アドレス及び／又は送信先アドレスを識別する経路情報を含み得る。
【００４１】
図１４は、グラフィカルユーザインターフェース１７０を示す。ここでは、クライアント側アルゴリズム１６２によって、クライアント装置１６０は、グラフィカルユーザインターフェース（「ＧＵＩ」）１７０を生成し得る。簡略化のために、図１４は、タブレットコンピュータ１７２としてクライアント装置１６０を示す。ただし、クライアント装置１６０は、以降の段落で説明するように、任意のプロセッサ制御装置であればよい。タブレットコンピュータ１７２は、（多数の携帯デバイスに一般的なタッチスクリーンディスプレイなどの）表示装置１７４における視覚表示のためにグラフィカルユーザインターフェース１７０を生成する。グラフィカルユーザインターフェース１７０は、登録情報１６４をエントリ又は入力するための種々のフィールドを有する。特に、グラフィカルユーザインターフェース１７０は、無効化生体認証２０の身体位置１４０を特定するためのデータフィールド１７６を有する。例えば、図１４は、提供者が選択し得る身体位置についてのメニュー１７８を示す。身体位置のメニュー１７８は、異なる身体部の異なるテキスト記述の一覧を示す。提供者は、（おそらく接触による選択又は入力を用いて）正確な身体位置１４０を強調及び選択する。したがって、身体位置のメニュー１７８は、所定の又は承認された身体位置１４０で予め用意され得る。
【００４２】
図１５〜１６に例示の実施形態によるパーソナライゼーションを示す。この例示の実施形態により、登録ユーザ（すなわち「登録者」）は認証をパーソナライズすることが可能となる。読者が理解できるように、異なるユーザは、異なる要求及び要望を有し得る。例えば、あるユーザは、爪を伸ばしており、それにより自身に対応する無効化生体認証２０についての使用時間を延長し得る。成長速度４０の遅いユーザも存在すれば、成長速度４０の速いユーザも存在し得る。ここで、すなわち、例示の実施形態により、登録者は自身の無効化生体認証２０に関連する自動満了を自身で構成することが可能となる。
【００４３】
図１５は、携帯スマートフォン１８０を示す。登録者は、自身の携帯スマートフォン１８０を使用して（図７〜１１の符号１００として示す）登録データベースに記憶された自身の登録プロファイルをカスタマイズ又は設定することができる。登録者が、（再度図７〜９で示すように）通信ネットワーク８８を介してサーバ８０とインターフェース接続するソフトウェアアプリケーション１８２をダウンロードするようにスマートフォン１８０を使用すると想定する。ソフトウェアアプリケーション１８２はスマートフォン１８０のメモリに記憶され、プロセッサはソフトウェアアプリケーション１８２を実行する。ソフトウェアアプリケーション１８２は、（タッチスクリーン１８６によるなど）携帯スマートフォン１８０によって表示されるパーソナライゼーションインターフェース１８４を生成する。パーソナライゼーションインターフェース１８４により、登録者は登録データベース１００にある一部又は任意のデータベースエントリを変更することが可能となる。例えば、登録者は、自身の無効化生体認証２０を伴う身体位置１４０に関する成長速度４０をパーソナライズし得る。登録者は、カーソルをデータフィールド１８８に配置し、自身の希望する成長速度４０を定義するテキスト及び／又は数字を入力し得る。それにより登録者は、ただ成長速度４０を調整することにより自身の無効化生体認証２０の認証存続期間１２２（例えば満了時間１２４）を短縮又は延長することができる。
【００４４】
パーソナライゼーションインターフェース１８４は、取消コントロール１９０も含み得る。ここで登録者は、簡単に視覚的に又は触覚的に取消コントロール１９０を選択し、速やかに又はほぼ速やかに、自身の無効化生体認証２０の対応する登録を取り消すことができる。例えば登録者が（図１及び５〜６に関連して説明する）自身の爪甲２２をトリミングし、又は毛髪７２を切ると想定する。それにより登録者は自身のスマートフォン１８０を使用して自身の登録を取消しすることができ、それにより不正な認証を防止することができる。
【００４５】
図１６に取消メッセージ１９２を示す。ユーザが取消コントロール１９０を選択する場合、電子取消メッセージ１９２が生成され、サーバ８０に関連するネットワークアドレスに送信される。取消メッセージ１９２は、登録データベース１００にある登録者のエントリに関連する固有の英数字の組合せ９６を識別する情報を含む。サーバ８０が取消メッセージ１９２を受信する場合、アルゴリズム９２が英数字の組合せ９６を獲得し、登録データベース１００に照会する。そしてアルゴリズム９２は、登録者の無効化生体認証２０に関連する存続期間１２２を自動的に満了させる。それにより取消メッセージ１９２は、無効化生体認証２０を用いた全ての認証のほぼ瞬時の終了を指示し、又は引き起こす。それにより、生体認証及び検証は、新規の無効化生体認証２０を身体に付加するまではそのユーザには利用不可となる。
【００４６】
図１７は、例示の実施形態によるトランザクションベースの取消を示す。ここで例示の実施形態は、事前に定義したトランザクションに基づいて、登録を取消しすることができる。例えば登録者が、ヘアサロンでヘアカットをすると想定する。登録者が自身のスマートフォン１８０を電子決済トランザクション２００に使用している場合、例示の実施形態は自動的に登録データベース１００に通知してアップデートできる。ソフトウェアアプリケーション１８２が電子決済トランザクション２００を検知したり通知を受けたりする場合、ソフトウェアアプリケーション１８２は、スマートフォン１８０に取消メッセージ１９２を生成して送信させることができる。取消メッセージ１９２は、サーバ８０に関連するネットワークアドレスにルーティングされる。サーバ８０が取消メッセージ１９２を受信する場合、アルゴリズム９２は英数字の組合せ９６を獲得し、関連する存続期間１２２を自動的に終了する。それにより取消メッセージ１９２は、登録データベース１００にある対応する登録のほぼ速やかな取消又は消去を指示し、又は引き起こす。登録者がヘアカットをしたため、以降の生体認証及び検証は新たな登録処理が完了するまでは利用不可となる。
【００４７】
他の安全保障対策が実施され得る。ユーザ固有の英数字の組合せ９６が自身のスマートフォン１８０に記憶又は知得されることを望まないユーザもいる。結局スマートフォン１８０が盗難に遭い、又は不正アクセスされる場合、英数字の組合せ９６は多数の金融トランザクションを迅速に認証するために使用され得る。そこで例示の実施形態は電話番号、セルラ識別子及び／又はＩＰアドレスを代替的に用いて登録データベース１００にある対応する登録プロファイルを決定することができる。例えば、登録者のプロファイルは、自身のスマートフォン１８０に関連する電話番号、セルラ識別番号及び／又はＩＰアドレスに電子的に関連し得る。したがって、ソフトウェアアプリケーション１８２は、そのヘアサロンに関連する固有の識別子２０２などのサービスプロバイダに関連する電子決済トランザクション２００を認識するように構成され得る。固有の識別子２０２は文字名となり得るが、識別子２０２は電子決済トランザクション２００で定義される固有の英数字の文字列となることが多い。電子決済トランザクション２００が固有の識別子２０２を含み、又は指定する場合は、ソフトウェアアプリケーション１８２は、登録データベース１００に登録者に対応する登録を取り消すように警告する。
【００４８】
したがって、例示の実施形態は、サービスに基づいて自動的に消去することができる。登録者は、ネイルサロン、ヘアサロン及び美容皮膚科などのサービス又はサービス提供者に伴う自身の登録をパーソナライズし得る。ソフトウェアアプリケーション１８２は、これらのプロバイダに対する電子決済トランザクション２００を監視し得る。対応する固有の識別子２０２が確定された場合は、例示の実施形態は、無効化生体認証２０が処分、損傷、上塗り又はそうでなければ手動で破壊されたものとみなすように構成され得る。したがって、ソフトウェアアプリケーション１８２は、同一の無効化生体認証２０を含む更なる認証を履行しないようにアルゴリズム９２に命令することができる。
【００４９】
例示の実施形態は位置データも使用し得る。登録者が自身のスマートフォン１８０を持ち運ぶと、例示の実施形態は地理的位置２０４を受信又は決定し得る。例えば、スマートフォン１８０は、全地球測位システム（「ＧＰＳ」）受信機を利用してＧＰＳ情報を取得し得る。したがって、例示の実施形態は、ＧＰＳ情報を利用して、スマートフォン１８０が（再度になるが、ネイルサロン、ヘアサロン及び美容皮膚科などの）認定されたサービス提供者であるとして知られている場所に現在位置していることを決定できる。ソフトウェアアプリケーション１８２は、スマートフォンの地理的位置２０４を監視し、現在の位置が既知の提供者の位置と一致する場合は、無効化生体認証２０の消去が必要であるとみなすことができる。したがって、ソフトウェアアプリケーション１８２は、同一の無効化生体認証２０を含む更なる認証を履行しないようにアルゴリズム９２に命令することができる。
【００５０】
図１８に、例示の実施形態による満了の通知を示す。ここに、例示の実施形態は、登録者に満了が差し迫っていることを電子的に通知し得る。例えば、アルゴリズム９２は、登録者の無効化生体認証２０に関連する満了時間１２４まで残り５日間のみであると決定するとする。従ってアルゴリズム９２は、電子メッセージ２１０を生成して送信するように構成され得る。電子メッセージ２１０は、ＳＭＳテキストメッセージ、電子メール、ウェブサイトポスティング、電話又は他のいかなる電子的な通知になり得る。図１８は、登録者のスマートフォン１８０に関連するネットワークアドレスにルーティングする電子メッセージ２１０を示す。一方、電子メッセージ２１０は登録データベース１００の登録者プロファイルに指定された任意のアドレスにルーティングされ得る。電子メッセージ２１０は、テキスト、ウェブサイトリンク及び／又は音声ファイルを含み、実行又は処理された場合、登録者に差し迫っている満了時間１２４を通知する。従って登録者は、新規の無効化生体認証２０を用いて登録プロファイルをアップデートするよう警告される。言い換えると、登録者は自身の身体に新規の無効化生体認証２０を付加するように促される。
【００５１】
例示の実施形態は、例示の実施形態によるリサイクルも含み得る。すなわち、例示の実施形態は無効化生体認証２０を再利用できる。読者が想像するように、無効化生体認証２０に対して有限数の異なるデザインが存在し得る。各々の無効化生体認証２０は、登録に対して限定された存続期間を有するため、異なるデザインの少数の集合によって登録者の多数にサービスを十分に提供し得る。したがって、例示の実施形態は、各々の登録者に対して異なる無効化生体認証２０を繰り返して使用し得る。例えば、異なるデザインの集合は百（１００個）の要素を含み、又は定義すると想定する。これらの要素は、あらゆる登録者の登録に対してランダムに又は連続的に選択され得る。いずれかの無効化生体認証２０が満了すると、例示の実施形態は、集合中の異なる要素を自動的に選択し得る。言い換えると、同一の登録者によって無効化生体認証２０が再利用される前に数か月又は数年が経過し得る。さらに、登録が時間に基づいて自動的に満了すると、相対的に少数の異なるデザインの集合は、無数の異なる登録者にサービスを提供し得る。
【００５２】
図１９は、例示の実施形態による無効化生体認証２０を登録する方法を示すフロー図である。無効化生体認証２０が、登録者の身体に付加される（ブロック２５０）。無効化生体認証２０の登録画像８６が撮影される（ブロック２５２）。登録情報１６４が入力される（ブロック２５４）。登録画像８６及び登録情報１６４は、登録データベース１００へ送信される（ブロック２５６）。画像解析が実行され、登録画像８６は固有の英数字の組合せ９６に変換される（ブロック２５８）。登録プロファイル１２４は、生体認証テンプレート１０４として登録データベース１００に追加される（ブロック２６０）。成長速度４０が決定される（ブロック２６２）。無効化生体認証２０の存続期間１２２及び満了時間１２４が決定される（ブロック２６４）。
【００５３】
図２０は、例示の実施形態による身元認証及び検証についての方法を示すフロー図である。認証画像１１０が撮影される（ブロック２７０）。サーバ８０が、認証に対する電子リクエストと共に認証画像１１０を受信する（ブロック２７２）。画像解析が実行され、認証画像１１０は文字列１１２に変換される（ブロック２７４）。登録データベース１００は、文字列１１２について照会される（ブロック２７６）。一致しないと判断された場合は（ブロック２７８）、承認は履行されない（ブロック２８０）。一方、一致した場合は（ブロック２７８）、対応する生体認証プロファイル１２４が取得される（ブロック２８２）。存続期間１２２及び満了時間１２４が決定され（ブロック２８４）、現在の日付及び時間と比較される（ブロック２８６）。認証が先の日付の場合は（ブロック２８８）、認証は履行されない（ブロック２８０）。認証が先の日付の場合は（ブロック２８８）、認証は許可し得る（ブロック２９０）。
【００５４】
図２１は、更なる例示の実施形態を示す概略図である。図２１は、プロセッサによって制御される装置４００を説明するより詳細な図である。前段落で説明したように、アルゴリズム９２、クライアント側アルゴリズム１６２及び／又はソフトウェアアプリケーション１８２は、プロセッサによって制御される任意の可動又は固定の装置４００において部分的又は全体的に動作し得る。そして図２１に、プロセッサによって制御される装置４００のメモリサブシステムに記憶されるアルゴリズム９２、クライアント側アルゴリズム１６２及び／又はソフトウェアアプリケーション１８２を示す。１以上のプロセッサは、メモリサブシステムと通信し、いずれか、一部又は全部のアプリケーションを実行する。プロセッサによって制御される装置４００は当業者には周知であるため、更なる説明は不要である。
【００５５】
図２２は、例示の実施形態の追加の態様における他の可能な動作環境を図示する。図２２に、他の種々のプロセッサによって制御される装置４００内で動作するアルゴリズム９２、クライアント側アルゴリズム１６２及び／又はソフトウェアアプリケーション１８２を示す。例えば、図２２は、アルゴリズム９２、クライアント側アルゴリズム１６２及び／又はソフトウェアアプリケーション１８２が、セットトップボックス（「ＳＴＢ」）（４０２）、パーソナル／デジタルビデオレコーダ（ＰＶＲ／ＤＶＲ）４０４、全地球測位システム（ＧＰＳ）装置４０８、インタラクティブテレビ４１０、又は前述の任意のプロセッサ及び／若しくはデジタル信号プロセッサ（ＤＰ／ＤＳＰ）４１４を利用する任意のコンピュータシステム、通信装置若しくはプロセッサによって制御される装置内で、全体的又は部分的に動作し得ることを示す。さらに、プロセッサによって制御される装置４００には、（腕時計などの）ウェアラブル装置、ラジオ、車両用電子装置、時計、プリンター、ゲートウェイ、可動型／移植型医療装置並びにその他の装置及びシステムも含むことができる。種々の装置４００の構造及び動作原理は周知であるため、種々の装置４００のハードウェア及びソフトウェアのコンポーネントはこれ以上図示及び記載しない。
【００５６】
図２３〜２６は、例示の実施形態における追加の態様に対する動作環境をさらに示す概略図である。図２３は加入者識別モジュール５００のブロック図であり、図２４及び２５はプラグ５０２及びカード５０４において具体化された加入者識別モジュール５００をそれぞれ示す。当業者が認識するように、加入者識別モジュール５００は（クライアント装置１６０及び携帯スマートフォン１８０などの）多数の通信装置と組み合わされて使用され得る。加入者識別モジュール５００は、（ユーザの国際携帯加入者識別子、ユーザのＫｉ番号及びその他のユーザ情報などの）ユーザ情報及びアルゴリズム９２、クライアント側アルゴリズム１６２並びに／又はソフトウェアアプリケーション１８２の任意の部分を記憶する。やはり当業者が認識するように、プラグ５０２及びカード５０４は、それぞれ物理的に又は無線的に携帯タブレットコンピュータ２６及びスマートフォン４１２とインターフェース接続し得る。
【００５７】
図２３は、図２４のプラグ５０２又は図２５のカード５０４のいずれかにおいて具体化された加入者識別モジュール５００のブロック図である。ここで加入者識別モジュール５００は、データバス５１０を介して記憶モジュール５０８と通信するマイクロプロセッサ５０６（μＰ）を備える。記憶モジュール５０８は、読み出し専用メモリ（ＲＯＭ）５１２、ランダムアクセスメモリ（ＲＡＭ）及び又はフラッシュメモリ５１４並びに電子的に消去可能なプログラマブル読み出し専用メモリ（ＥＥＰＲＯＭ）５１６を含み得る。加入者識別モジュール５００は、アルゴリズム９２、クライアント側アルゴリズム１６２及び／又はソフトウェアアプリケーション１８２の一部又は全体を１以上の記憶モジュール５０８に記憶する。図２３は、消去可能なプログラマブル読み出し専用メモリ５１６に存在するアルゴリズム９２、クライアント側アルゴリズム１６２及び／又はソフトウェアアプリケーション１８２を示すが、いずれかのモジュールが代替的に又は付加的に読み出し専用メモリ５１２及び／又はランダムアクセス／フラッシュメモリ５１４に存在してもよい。入出力部品５１８は、加入者識別モジュールと通信装置との通信を取扱う。加入者識別モジュール５００は当業者に既知のため、この特許は加入者識別モジュール５００の動作及び物理／記憶構造についてはこれ以上の議論をしない。
【００５８】
図２６は、例示の実施形態による動作環境を更に示す概略図である。図２６は、サーバ８０、クライアント装置１６０及び／又は携帯スマートフォン１８０のいくつかの構成部分を示すブロック図である。構成部分は、１以上の無線送受信部５５２、アンテナ５５４、デジタルベースバンドチップセット５５６及びマンマシンインターフェース（ＭＭＩ）５５８を含み得る。送受信部５５２は、無線周波数（ＲＦ）信号を受信及び送信するように送信機回路５６０及び受信機回路５６２を含む。送受信部５５２はアンテナ５５４と結合して、電流を電磁波へ及び電磁波を電流へ変換する。デジタルベースバンドチップセット５５６は、デジタル信号プロセッサ（ＤＳＰ）５６４を備え、音響（音声）信号及びＲＦ信号に関する信号処理機能を実行する。図２６に示すように、デジタルベースバンドチップセット５５６は、マンマシンインターフェース（ＭＭＩ）５５８と相互に作用するオンボードマイクロプロセッサ５６６も含み得る。マンマシンインターフェース（ＭＭＩ）５５８は、ディスプレイ装置５６８、キーパッド５７０及び加入者識別モジュール５００を備え得る。オンボードマイクロプロセッサ５６６は、加入者識別モジュール５００とインターフェース接続することもでき、アルゴリズム９２、クライアント側アルゴリズム１６２及び／又はソフトウェアアプリケーション１８２とも接続することができる。
【００５９】
例示の実施形態はどのようなシグナリング標準にも適応され得る。当業者が認識するように、図２３〜２６はグローバル・システム・フォー・モバイル（ＧＳＭ）通信装置を示し得る。すなわち、例示の実施形態はグローバル・システム・フォー・モバイル（ＧＭＳ）通信シグナリング標準を利用することができる。ただし、やはり当業者が認識するように、例示の実施形態は、時分割多重接続シグナリング標準、符号分割多重接続シグナリング標準、「２重モード」ＧＳＭ−ＡＮＳＩインターオペラビリティ・チーム（ＧＡＩＴ）シグナリング標準又はＧＭＳ／ＣＤＭＡ／ＴＤＭＡシグナリング標準の任意の変形を利用するあらゆる通信装置に同様に適応可能である。例示の実施形態はまた、ＩＥＥＥ８０２ファミリーの標準、工業、科学及び医療用帯域の電磁スペクトル、ＢＬＵＥＴＯＯＴＨ（登録商標）及びその他任意のものなど、その他の標準にも適用することができる。
【００６０】
例示の実施形態は、コンピュータ可読記憶媒体上及び内部に物理的に具体化され得る。例えば、このコンピュータ可読媒体は、ＣＤ−ＲＯＭ、ＤＶＤ、テープ、カセット、フロッピーディスク、光ディスク、メモリカード、メモリドライブ及び大容量ディスクを含み得る。この単数又は複数のコンピュータ可読媒体は、最終加入者、ライセンシー及び譲受人に分配され得る。前段落で説明したように、コンピュータプログラム製品は、自己無効化生体認証に関するプロセッサ実行可能な命令を含む。
【００６１】
例示の実施形態は、種々の構成、態様及び実施形態に関して記述されてきたが、当業者及び非当業者は、例示の実施形態がそのように限定されていないことを認識するはずである。例示の実施形態の趣旨及び範囲から逸脱することなく、他の変形、修正及び代替の実施形態がなされ得る。
【図１】
0006731054.tif 000002
【図２】
0006731054.tif 000003
【図３】
0006731054.tif 000004
【図４】
0006731054.tif 000005
【図５】
0006731054.tif 000006
【図６】
0006731054.tif 000007
【図７】
0006731054.tif 000008
【図８】
0006731054.tif 000009
【図９】
0006731054.tif 000010
【図１０】
0006731054.tif 000011
【図１１】
0006731054.tif 000012
【図１２】
0006731054.tif 000013
【図１３】
0006731054.tif 000014
【図１４】
0006731054.tif 000015
【図１５】
0006731054.tif 000016
【図１６】
0006731054.tif 000017
【図１７】
0006731054.tif 000018
【図１８】
0006731054.tif 000019
【図１９】
0006731054.tif 000020
【図２０】
0006731054.tif 000021
【図２１】
0006731054.tif 000022
【図２２】
0006731054.tif 000023
【図２３】
0006731054.tif 000024
【図２４】
0006731054.tif 000025
【図２５】
0006731054.tif 000026
【図２６】
0006731054.tif 000027